(57)【要約】  【課題】  パッシブマトリクス駆動型の表示装置において、一方向に並ぶ画素の数を極めて多くしても、この方向に並ぶ電極の数を少なくして、ドライバの数を低減する。  【解決手段】  複数の走査電極Ｒ０，Ｒ１，Ｒ２・・・と、該走査電極Ｒ０，Ｒ１，Ｒ２・・・を横切って延びる複数の画素電極Ｃ０，Ｃ１，Ｃ２・・・とが、互いの交差部分がマトリクス状に配列する状態に向き合わせて配置され、これらの電極交差部分毎に画素部が形成されてなるパッシブマトリクス駆動型の表示装置において、画素電極Ｃ０，Ｃ１，Ｃ２・・・を走査電極Ｒ０，Ｒ１，Ｒ２・・・よりも多数設け、隣合うＮ本（２≦Ｎ）の走査電極（例えばＲ０，Ｒ１）と、共通の１つの画素電極（例えばＣ０）との間に、互いに画素電極の並び方向にずれたＮ個の画素部（ＰＲ１，ＰＲ２）を形成し、共通の１つの画素電極Ｃ０を、順次選択されるＮ本の走査電極Ｒ０，Ｒ１に対応させて、順次Ｎ回選択させる。【選択図】          図５
2005300582.tif 000002
【特許請求の範囲】
【請求項１】
複数の走査電極と、該走査電極を横切って延びる複数の画素電極とが、互いの交差部分がマトリクス状に配列する状態に向き合わせて配置されるとともに、
これらの電極の交差部分毎に画素部が形成され、
選択された走査電極および画素電極の間に電圧を印加して、前記画素部に光学的変化を生じさせるように構成されたパッシブマトリクス駆動型の表示装置において、
前記画素電極が前記走査電極よりも多数設けられ、
隣合うＮ本（２≦Ｎ）の走査電極と、共通の１つの画素電極との間に、互いに画素電極の並び方向にずれたＮ個の画素部が形成され、
前記共通の１つの画素電極が、順次選択される前記Ｎ本の走査電極に対応させて、順次Ｎ回選択されるように構成されていることを特徴とする表示装置。
【請求項２】
前記Ｎ個の画素部が、前記画素電極の並び方向に互いにオーバーラップしない状態に配置されていることを特徴とする請求項１記載の表示装置。
【請求項３】
前記Ｎ個の画素部が、前記走査電極の並び方向に関して互いにずれた状態に配置されていることを特徴とする請求項１または２記載の表示装置。
【請求項４】
前記画素部が有機ＥＬ発光素子であり、前記走査電極、画素電極がそれぞれ該有機ＥＬ発光素子の陰極、陽極とされていることを特徴とする請求項１から３いずれか１項記載の表示装置。
【請求項５】
請求項１から４いずれか１項記載の表示装置に表示された像を感光材料上に結像させて、該感光材料を露光させる画像露光装置であって、
前記画素電極の並び方向に並んだ前記画素部により主走査を行う一方、
前記表示装置と前記感光材料とを、前記走査電極の並び方向に相対移動させて副走査を行うように構成されたことを特徴とする画像露光装置。
【発明の詳細な説明】
【技術分野】
【０００１】
本発明は、有機ＥＬ発光素子等からなるパッシブマトリクス駆動型の表示装置に関するものである。
【０００２】
また本発明は、上述のような表示装置を用いて感光材料を露光させる画像露光装置に関するものである。
【背景技術】
【０００３】
従来、主走査方向に所定ピッチで並設された複数の発光素子からなるライン状発光素子アレイが、上記主走査方向と略直交する副走査方向に複数並設されてなる面状発光素子アレイを露光ヘッドとして用い、該アレイの発光素子から発せられた光により感光体を露光する画像露光装置が公知となっている。そして最近では、上記発光素子として有機ＥＬ（エレクトロ・ルミネッセンス）素子を用いてなる画像露光装置も種々提案されている。
【０００４】
また、例えば特許文献１に示されるように、上記面状発光素子アレイからなる露光ヘッドと感光体とを、ライン状発光素子アレイの並び方向に相対移動させて副走査を行い、副走査に伴って複数のライン状発光素子アレイにより感光体の同一部分を複数回露光して、該感光体に２次元画像を露光記録する画像露光装置も知られている。このように感光体の同一部分を多重露光すれば、露光量のダイナミックレンジをより高く確保して、高階調の画像を記録可能となる。
【０００５】
上述のような面状発光素子アレイからなる露光ヘッドは、広い意味で一種の表示装置と考えられるが、このような表示装置の一つとして、いわゆるパッシブマトリクス駆動型のものが知られている。このパッシブマトリクス駆動型の表示装置は基本的に、
複数の走査電極と、該走査電極を横切って延びる複数の画素電極とが、互いの交差部分がマトリクス状に配列する状態に向き合わせて配置されるとともに、
これらの電極の交差部分毎に、発光素子や光シャッタ等からなる画素部が形成され、
選択された走査電極および画素電極の間に電圧を印加して、上記画素部に光学的変化を生じさせるように構成されたものである。
【特許文献１】特開２００１−３５６４２２号公報
【発明の開示】
【発明が解決しようとする課題】
【０００６】
上記パッシブマトリクス駆動型の表示装置において、電圧印加する走査電極および画素電極の選択は、各々に対して設けられた走査電極ドライバおよび画素電極ドライバによってなされるが、この種の表示装置から露光ヘッドを形成して、それと感光材料とを前述のように相対移動させて副走査を行うようにした従来の画像露光装置においては、ドライバの構成が非常に複雑化するという問題が認められる。これは、上記露光ヘッドを構成する表示装置は、縦横比が３：４などのＴＶ型ディスプレイ等とは異なって、副走査方向の画素数が数個程度であるのに対し、主走査方向の画素数は数百個から数千個と、両方向の画素数が極端に相違していることに起因している。
【０００７】
以下、上記のことを数値例を挙げて分かりやすく説明する。例えば、一般的なＴＶ型ディスプレイとして２４４×９６画素構成のものを考えると、その総画素数は２３４２４であり、２４４ｃｈ（チャンネル）の画素電極用データドライバ１個と９６ｃｈの走査電極用スキャンドライバ１個の合計２個のドライバで駆動可能である。それに対して、露光ヘッドを構成する表示装置として、総画素数は上記２３４２４と同程度の２３４００で、主走査方向画素数が７８００、副走査方向画素数が３であるものを考えると、この場合は２４４ｃｈの画素電極用データドライバ３２個と３ｃｈの走査電極用スキャンドライバ１個の合計３３個のドライバが必要となる。このように多数のドライバが必要であると、当然、表示装置はコストが高いものとなってしまう。
【０００８】
本発明は上記の事情に鑑みて、一方向に並ぶ画素の数を極めて多くしても、この方向に並ぶ電極の数を少なくして、ひいてはドライバの数を少なく抑えることができるパッシブマトリクス駆動型の表示装置を提供することを目的とする。
【０００９】
また本発明は、主走査方向の画素数を多く設定しても、構成が簡単で安価に形成することができる画像露光装置を提供することを目的とする。
【課題を解決するための手段】
【００１０】
本発明による表示装置は、前述したように、
複数の走査電極と、該走査電極を横切って延びる複数の画素電極とが、互いの交差部分がマトリクス状に配列する状態に向き合わせて配置されるとともに、
これらの電極の交差部分毎に画素部が形成され、
選択された走査電極および画素電極の間に電圧を印加して、前記画素部に光学的変化を生じさせるように構成されたパッシブマトリクス駆動型の表示装置において、
前記画素電極が前記走査電極よりも多数設けられ、
隣合うＮ本（２≦Ｎ）の走査電極と、共通の１つの画素電極との間に、互いに画素電極の並び方向にずれたＮ個の画素部が形成され、
前記共通の１つの画素電極が、順次選択される前記Ｎ本の走査電極に対応させて、順次Ｎ回選択されるように構成されていることを特徴とするものである。
【００１１】
なお、上記Ｎ個の画素部は、画素電極の並び方向に互いにオーバーラップしない状態に配置されていることが望ましい。
【００１２】
また、上記Ｎ個の画素部は、走査電極の並び方向に関して互いにずれた状態に配置されていることが望ましい。
【００１３】
さらに、上記画素部は有機ＥＬ発光素子であって、上記走査電極、画素電極がそれぞれ該有機ＥＬ発光素子の陰極、陽極とされていることが望ましい。
【００１４】
他方、本発明による画像露光装置は、上述の通りの本発明による表示装置に表示された像を感光材料上に結像させて、該感光材料を露光させる画像露光装置であって、
前記画素電極の並び方向に並んだ画素部により主走査を行う一方、
前記表示装置と感光材料とを、走査電極の並び方向に相対移動させて副走査を行うように構成されたことを特徴とするものである。
【発明の効果】
【００１５】
本発明による表示装置においては、隣合うＮ本（２≦Ｎ）の走査電極と、共通の１つの画素電極との間に、互いに画素電極の並び方向にずれたＮ個の画素部が形成されているので、画素電極の並び方向の画素数は、画素電極の数のＮ倍となる。換言すれば、画素電極の数は、その並び方向の画素数の１／Ｎで済むことになるので、この方向の画素数が前述のように数百から数千であるような場合でも、画素電極選択用のドライバの数を少なく抑えることができる。
【００１６】
なお上記Ｎ個の画素部が、走査電極の並び方向に並ぶ（つまり画素電極の並び方向に延びる）画素ラインの中の１つの共通ラインを構成するのであれば、この画素ラインの数のＮ倍の走査電極が必要となる。しかし本発明においては元々、走査電極は画素電極よりも少数であるので、上記走査電極数の増加は、例えば該画素数が３である場合にＮ＝３により走査電極数が９となるようなものである。そのような状況では、本来３ｃｈのドライバを使用するところ、９ｃｈのドライバを使用すれば済むものであり、よってこの走査電極駆動用のドライバの数が多くなることは回避できる。
【００１７】
本発明による画像露光装置は、上記本発明による表示装置を用いて、画素電極の並び方向に並んだ画素部により主走査を行う一方、表示装置と感光材料とを、走査電極の並び方向に相対移動させて副走査を行うように構成されたものであるが、この種の画像露光装置において、一般に露光ヘッドに求められる副走査方向の画素数は数個から数十個程度であるのに対し、主走査方向の画素数は数百個から数千個程度と極めて多いので、正に上述した通り、画素電極選択用ドライバの数を著しく少なく抑えることができ、その一方で走査電極選択用のドライバの数が増えることも回避できる。
【００１８】
なお、本発明による表示装置において、上記Ｎ個の画素部が、画素電極の並び方向に互いにオーバーラップしない状態に配置されていれば、それを上述のような画像露光装置に適用した際に、上記Ｎ個の画素部による露光画像のＮ個の記録画素が、互いにオーバーラップしない状態で記録されるようになる。
【００１９】
また、本発明による表示装置において、上記Ｎ個の画素部が、走査電極の並び方向に関してに互いにずれた状態に配置されていれば、それを上述のような画像露光装置に適用した場合に、Ｎ本の走査電極が時間を置いて順次選択されるのと同期させて感光体の副走査移動を行うことにより、感光体上のＮ個の記録画素を主走査方向に一線に並んだ状態に形成することが可能となる。
【００２０】
なお、本発明による表示装置は、上述のような露光装置に適用されるとドライバの数を少なく抑える上で非常に効果的であるが、勿論、この種の露光装置に適用されない場合でも、画素数の縦横比が大きく異なる場合には、一般に、ドライバの数を少なく抑える効果を奏するものである。
【発明を実施するための最良の形態】
【００２１】
以下、図面を参照して本発明の実施の形態を説明する。
【００２２】
図１は、本発明の一実施の形態による露光装置の要部の立断面形状を示すものであり、また図２は、この露光装置を構成する露光ヘッド１の平面形状を示している。図示の通りこの露光装置は、露光ヘッド１と、この露光ヘッド１から出射する露光光２の照射を受ける位置に保持したカラー感光材料３を、図１の矢印Ｙ方向に定速で搬送する、例えばニップローラ等の副走査手段51とからなる。
【００２３】
上記露光ヘッド１は、発光素子アレイ６および駆動回路80からなる本発明の第１の実施形態による表示装置と、発光素子アレイ６から出射した露光光２を受ける位置に配されて、この露光光２による像をカラー感光材料３の上に結像させる屈折率分布型レンズアレイ30と、このレンズアレイ30および発光素子アレイ６を保持する保持手段50とを備えている。
【００２４】
本例の露光装置はカラー感光材料３にカラー画像を露光するもので、図２に示されるように露光ヘッド１は、副走査方向Ｙに並べて配設された赤色発光素子アレイ６Ｒ、緑色発光素子アレイ６Ｇおよび青色発光素子アレイ６Ｂを備えている。これらの発光素子アレイ６Ｒ、６Ｇおよび６Ｂはそれぞれ、副走査方向Ｙと直交する主走査方向（矢印Ｘ方向）に多数の赤色発光素子、緑色発光素子および青色発光素子が並設されてなるライン状発光素子アレイが副走査方向Ｙに並設されてなるものである。
【００２５】
本実施形態において発光素子は一例として有機ＥＬ発光素子であり、また主走査方向の発光素子数は７８００、副走査方向の発光素子数は各発光素子アレイ６Ｒ、６Ｇおよび６Ｂにおいて各々２の合計６である。なお、各発光素子アレイ６Ｒ、６Ｇおよび６Ｂにおける発光素子は、主走査方向に一直線状に延びるように配置されたものではなく、隣接するもの同士が副走査方向に多少ずれた状態に配置されたものである（その点については、後に詳しく説明する）。
【００２６】
そしてこれらの発光素子アレイ６Ｒ、６Ｇおよび６Ｂは６チャンネルの陰極ドライバ７に接続されるとともに、２４４チャンネルの陽極ドライバ８に接続され、いわゆるパッシブマトリクス(passive matrix)線順次選択駆動方式により、露光画像を担持する所定の画像データに基づいて駆動される。なお、本実施形態において陰極ドライバ７の数は１個、陽極ドライバ８の数は１６個である。
【００２７】
図１においては、上記面状赤色発光素子アレイ６Ｒ、面状緑色発光素子アレイ６Ｇおよび面状青色発光素子アレイ６Ｂを代表的に発光素子アレイ６として示してあり、また発光素子アレイ６を構成する１つの発光素子を代表的に有機ＥＬ発光素子20として示してある。
【００２８】
有機ＥＬ発光素子20は、ガラス等からなる透明基板10の上に、透明陽極21、発光層を含む有機化合物層22、および金属陰極23が順次蒸着により積層されてなるものである。この有機ＥＬ発光素子20を構成する要素は、例えばステンレス製の缶等からなる封止部材25内に配置されている。つまり、この封止部材25の縁部と透明基板10とが接着され、乾燥窒素ガスが充填された封止部材25内に有機ＥＬ発光素子20が封止されている。
【００２９】
上記構成の有機ＥＬ発光素子20において、金属陰極23と、それを横切るように延びる透明陽極21との間に所定電圧が印加されると、電圧が印加された両電極の交差部分毎に有機化合物層22に含まれる発光層が発光し、発光光が透明陽極21および透明基板10を介して取り出される。このような有機ＥＬ発光素子20は、波長安定性に優れる特性がある。なお、有機ＥＬ発光素子20の画素配列状態については、後に詳しく説明する。
【００３０】
ここで透明陽極21は、４００ｎｍ〜７００ｎｍの可視光の波長領域において、少なくとも５０パーセント以上、好ましくは７０パーセント以上の光透過率を有するものが好ましい。透明陽極21の材料としては、酸化錫、酸化錫インジウム（ＩＴＯ）、酸化亜鉛インジウム等、透明電極材料として従来公知の化合物を適宜用いることができるが、その他、金や白金など仕事関数が大きい金属からなる薄膜を用いてもよい。また、ポリアニリン、ポリチオフェン、ポリピロールまたはこれらの誘導体などの有機化合物を用いることもできる。なお、沢田豊監修「透明導電膜の新展開」シーエムシー社刊（１９９９年）には、透明導電膜について詳細な記載があり、そこに示されているものを本発明に適用することも可能である。また透明陽極21は、真空蒸着法、スパッタリング法、イオンプレーティング法などによって透明基板10上に形成することができる。
【００３１】
一方、有機化合物層22は、発光層のみからなる単層構造であってもよいし、発光層の他に、ホール注入層、ホール輸送層、電子注入層、電子輸送層等のその他の層を適宜有する積層構造であってもよい。有機化合物層22および電極の具体的な層構成としては、陽極／ホール注入層／ホール輸送層／発光層／電子輸送層／陰極とする構成や、陽極／発光層／電子輸送層／陰極、陽極／ホール輸送層／発光層／電子輸送層／陰極とする構成等が挙げられる。また、発光層、ホール輸送層、ホール注入層、電子注入層は、それぞれ複数設けられてもよい。
【００３２】
金属陰極23は、仕事関数の低いＬｉ、Ｋなどのアルカリ金属、Ｍｇ、Ｃａなどのアルカリ土類金属、およびこれらの金属とＡｇやＡｌなどとの合金や混合物等の金属材料から形成されるのが好ましい。陰極における保存安定性と電子注入性とを両立させるために、上記材料で形成した電極を、仕事関数が大きく導電性の高いＡｇ、Ａｌ、Ａｕなどで更に被覆してもよい。なお、金属陰極23も透明陽極21と同様に、真空蒸着法、スパッタ法、イオンプレーティング法などの公知の方法で形成することができる。
【００３３】
次に、有機ＥＬ発光素子20の画素配列状態について詳しく説明する。図２では概略的に示した透明陽極21および金属陰極23の形状を、図５に拡大して詳しく示す。この図５では、画素電極となっている透明陽極21をＣ０，Ｃ１，Ｃ２・・・として示し、走査電極となっている金属陰極23をＲ０，Ｒ１，Ｒ２・・・と示してある。
【００３４】
ここに示す第１番目、第２番目の金属陰極Ｒ０，Ｒ１は赤色発光素子アレイ６Ｒを構成するものであり、金属陰極Ｒ０は別の金属陰極Ｒ１側に突出した凸部を、金属陰極Ｒ１は別の金属陰極Ｒ０側に突出した凸部をそれぞれ有し、該金属陰極Ｒ０，Ｒ１は、それらの凸部が互い違いに組み合った状態に配置されている。また、第３番目、第４番目の金属陰極Ｒ２，Ｒ３は緑色発光素子アレイ６Ｇを構成するものであり、それらの形状および配置状態は上記金属陰極Ｒ０，Ｒ１と同様である。また第５番目、第６番目の金属陰極Ｒ４，Ｒ５は青色発光素子アレイ６Ｂを構成するものであり、それらの形状および配置状態も上記金属陰極Ｒ０，Ｒ１と同様である。
【００３５】
他方、第１番目の透明陽極Ｃ０は、上記金属陰極Ｒ０，Ｒ１，Ｒ２，Ｒ３，Ｒ４，Ｒ５の各凸部と順次向かい合うようにクランク状に形成されている。それにより、該透明陽極Ｃ０と金属陰極Ｒ０〜Ｒ５との間には、両電極の交差部分（図中ハッチングを付して示す）が６箇所形成されている。前述した通り有機ＥＬ発光素子20は、これら両電極の交差部分毎に発光するので、該交差部分は１つの画素部となる。
【００３６】
すなわち、２本の金属陰極Ｒ０，Ｒ１と透明陽極Ｃ０との間には、互いに透明陽極の並び方向にずれた２個の画素部ＰＲ１，ＰＲ２が形成され、それらの部分において前記有機化合物層22（図１参照）は赤色光を発するものとされている。また２本の金属陰極Ｒ２，Ｒ３と透明陽極Ｃ０との間には、互いに透明陽極の並び方向にずれた２個の画素部ＰＧ１，ＰＧ２が形成され、それらの部分において前記有機化合物層22は緑色光を発するものとされている。また、２本の金属陰極Ｒ４，Ｒ５と透明陽極Ｃ０との間には、互いに透明陽極の並び方向にずれた２個の画素部ＰＢ１，ＰＢ２が形成され、それらの部分において前記有機化合物層22は青色光を発するものとされている。
【００３７】
第２番目の透明陽極Ｃ１〜第３９００番目の透明陽極Ｃ３８９９も、それぞれ上記第１番目の透明陽極Ｃ０と同様に形成されている。したがって、金属陰極Ｒ０，Ｒ１に沿った位置には、赤色光を発する７８００個の画素部ＰＲ１，ＰＲ２・・・ＰＲ７８００が、隣接する２つ同士が陰極並び方向に若干ずれた状態で配列して、赤色発光素子アレイ６Ｒを構成している。また金属陰極Ｒ２，Ｒ３に沿った位置には、緑色光を発する７８００個の画素部ＰＧ１，ＰＧ２・・・ＰＧ７８００が、隣接する２つ同士が陰極並び方向に若干ずれた状態で配列して、緑色発光素子アレイ６Ｇを構成を構成している。さらに金属陰極Ｒ４，Ｒ５に沿った位置には、青色光を発する７８００個の画素部ＰＢ１，ＰＢ２・・・ＰＢ７８００が、隣接するもの２つ同士が陰極並び方向に若干ずれた状態で配列して、青色発光素子アレイ６Ｂを構成している。
【００３８】
次に図３および４を参照して、上記発光素子アレイ６Ｒ、６Ｇおよび６Ｂを駆動するための構成について説明する。図３はこの駆動のための電気回路を示すものであり、ここでは赤色発光素子アレイ６Ｒの画素部ＰＲ１，ＰＲ２・・・ＰＲ７８００、緑色発光素子アレイ６Ｇの画素部ＰＧ１，ＰＧ２・・・ＰＧ７８００、および青色発光素子アレイ６Ｂの画素部ＰＢ１，ＰＢ２・・・ＰＢ７８００をそれぞれダイオードとして示してある。
【００３９】
また陰極ドライバ７は、金属陰極Ｒ０，Ｒ１，Ｒ２，Ｒ３，Ｒ４，Ｒ５に各々接続した６個のスイッチング部Ｓ０，Ｓ１，Ｓ２，Ｓ３，Ｓ４，Ｓ５を有している。これらのスイッチング部Ｓ０，Ｓ１，Ｓ２，Ｓ３，Ｓ４，Ｓ５は、常時は所定電位Ｖoffに保たれる金属陰極Ｒ０，Ｒ１，Ｒ２，Ｒ３，Ｒ４，Ｒ５を、所定周期で順次１つずつグランドに接続する。他方透明陽極Ｃ０，Ｃ１，Ｃ２・・・Ｃ３８９９には各々、陽極ドライバ８の電流源Ｑ０，Ｑ１，Ｑ２・・・Ｑ３８９９が接続されている。各電流源Ｑ０，Ｑ１，Ｑ２・・・Ｑ３８９９は図４に示すように抵抗101、オペアンプ102およびトランジスタ103から構成されており、オペアンプ102に入力された画像データに応じた値の電流を陽極端子を通して画素部に供給する。なお図３では、陽極ドライバ８を便宜的に１個として示してあるが、実際には先に述べた通り、２４４チャンネルのものが１６個設けられている。
【００４０】
以下、上記構成を有する露光装置の作動について説明する。図１に示したカラー感光材料３に画像露光する際、このカラー感光材料３は副走査手段51によって矢印Ｙ方向に定速で搬送される。この搬送の方向は、図５においては上から下に向かう方向である。また、このカラー感光材料３の搬送と同期させて、図３に示したスイッチング部Ｓ０，Ｓ１，Ｓ２，Ｓ３，Ｓ４，Ｓ５により、金属陰極Ｒ０，Ｒ１，Ｒ２，Ｒ３，Ｒ４，Ｒ５の中の１つが順次選択的にグランドに接続される（なお同図では、第２番目の金属陰極Ｒ１が選択された状態を示している）。
【００４１】
上述のようにして、まず第１番目の金属陰極Ｒ０が選択されている期間、電流源Ｑ０，Ｑ１，Ｑ２・・・Ｑ３８９９には、第１主走査ラインに関する第１、３、５・・・７７９９番目の記録画素の赤濃度を示す画像データが入力され、その画像データに応じた値の電流が、金属陰極Ｒ０と透明陽極Ｃ０，Ｃ１，Ｃ２・・・Ｃ３８９９との間に、つまり画素部ＰＲ１，ＰＲ３，ＰＲ５・・・ＰＲ７７９９に供給される。それにより、画素部ＰＲ１，ＰＲ３，ＰＲ５・・・ＰＲ７７９９から上記画像データに対応した強度の赤色光が発せられ、カラー感光材料３上において第１主走査ラインを構成する第１、３、５・・・７７９９番目の画素が赤色光で露光される。
【００４２】
次に第２番目の金属陰極Ｒ１が選択されている期間、電流源Ｑ０，Ｑ１，Ｑ２・・・Ｑ３８９９には、第１主走査ラインに関する第２、４、６・・・７８００番目の記録画素の赤濃度を示す画像データが入力され、その画像データに応じた値の電流が、金属陰極Ｒ１と透明陽極Ｃ０，Ｃ１，Ｃ２・・・Ｃ３８９９との間に、つまり画素部ＰＲ２，ＰＲ４，ＰＲ６・・・ＰＲ７８００に供給される。それにより、画素部ＰＲ２，ＰＲ４，ＰＲ６・・・ＰＲ７８００から上記画像データに対応した強度の赤色光が発せられ、カラー感光材料３上において第１主走査ラインを構成する第２、４、６・・・７８００番目の画素が赤色光で露光される。このとき、カラー感光材料３が前述のように定速搬送されているので、カラー感光材料３上において第１主走査ラインに関する第２、４、６・・・７８００番目の画素は、既に赤色光で露光されている第１、３、５・・・７７９９番目の画素の略真横に露光され、７８００画素からなる第１主走査ラインが一直線状に赤色光で露光される。
【００４３】
次に、第３番目の金属陰極Ｒ２が選択されている期間、電流源Ｑ０，Ｑ１，Ｑ２・・・Ｑ３８９９には、第１主走査ラインに関する第１、３、５・・・７７９９番目の記録画素の緑濃度を示す画像データが入力され、その画像データに応じた値の電流が、金属陰極Ｒ２と透明陽極Ｃ０，Ｃ１，Ｃ２・・・Ｃ３８９９との間に、つまり画素部ＰＧ１，ＰＧ３，ＰＧ５・・・ＰＧ７７９９に供給される。それにより、画素部ＰＧ１，ＰＧ３，ＰＧ５・・・ＰＧ７７９９から上記画像データに対応した強度の緑色光が発せられ、カラー感光材料３上において第１主走査ラインを構成する第１、３、５・・・７７９９番目の画素が緑色光で露光される。
【００４４】
次に第４番目の金属陰極Ｒ３が選択されている期間、電流源Ｑ０，Ｑ１，Ｑ２・・・Ｑ３８９９には、第１主走査ラインに関する第２、４、６・・・７８００番目の記録画素の緑濃度を示す画像データが入力され、その画像データに応じた値の電流が、金属陰極Ｒ３と透明陽極Ｃ０，Ｃ１，Ｃ２・・・Ｃ３８９９との間に、つまり画素部ＰＧ２，ＰＧ４，ＰＧ・・・ＰＧ７８００に供給される。それにより、画素部ＰＧ２，ＰＧ４，ＰＧ６・・・ＰＧ７８００から上記画像データに対応した強度の緑色光が発せられ、カラー感光材料３上において第１主走査ラインを構成する第２、４、６・・・７８００番目の画素が緑色光で露光される。
【００４５】
このとき、カラー感光材料３が前述のように定速搬送されているので、カラー感光材料３上において第１主走査ラインに関する第２、４、６・・・７８００番目の画素は、既に緑色光で露光されている第１、３、５・・・７７９９番目の画素の略真横に露光され、７８００画素からなる第１主走査ラインが一直線状に緑色光で露光される。また、このライン状の露光は、既に赤色光で露光されているライン状部分の上に略重ねてなされることになる。
【００４６】
次に、第５番目の金属陰極Ｒ４が選択されている期間、電流源Ｑ０，Ｑ１，Ｑ２・・・Ｑ３８９９には、第１主走査ラインに関する第１、３、５・・・７７９９番目の記録画素の青濃度を示す画像データが入力され、その画像データに応じた値の電流が、金属陰極Ｒ４と透明陽極Ｃ０，Ｃ１，Ｃ２・・・Ｃ３８９９との間に、つまり画素部ＰＢ１，ＰＢ３，ＰＢ５・・・ＰＢ７７９９に供給される。それにより、画素部ＰＢ１，ＰＢ３，ＰＢ５・・・ＰＢ７７９９から上記画像データに対応した強度の青色光が発せられ、カラー感光材料３上において第１主走査ラインを構成する第１、３、５・・・７７９９番目の画素が青色光で露光される。
【００４７】
次に第６番目の金属陰極Ｒ５が選択されている期間、電流源Ｑ０，Ｑ１，Ｑ２・・・Ｑ３８９９には、第１主走査ラインに関する第２、４、６・・・７８００番目の記録画素の青濃度を示す画像データが入力され、その画像データに応じた値の電流が、金属陰極Ｒ５と透明陽極Ｃ０，Ｃ１，Ｃ２・・・Ｃ３８９９との間に、つまり画素部ＰＢ２，ＰＢ４，ＰＢ・・・ＰＢ７８００に供給される。それにより、画素部ＰＢ２，ＰＢ４，ＰＢ６・・・ＰＢ７８００から上記画像データに対応した強度の青色光が発せられ、カラー感光材料３上において第１主走査ラインを構成する第２、４、６・・・７８００番目の画素が青色光で露光される。
【００４８】
このとき、カラー感光材料３が前述のように定速搬送されているので、カラー感光材料３上において第１主走査ラインに関する第２、４、６・・・７８００番目の画素は、既に青色光で露光されている第１、３、５・・・７７９９番目の画素の略真横に露光され、７８００画素からなる第１主走査ラインが一直線状に青色光で露光される。また、このライン状の露光は、既に赤色光および緑色光で露光されているライン状部分の上に略重ねてなされることになる。このようにしてカラー感光材料３には、カラーの第１主走査ラインが露光記録される。
【００４９】
次いで金属陰極の線順次選択は第１番目の金属陰極Ｒ０に戻り、該第１番目の金属陰極Ｒ０が選択されている期間、電流源Ｑ０，Ｑ１，Ｑ２・・・Ｑ３８９９には、第２主走査ラインに関する第１、３、５・・・７７９９番目の記録画素の赤濃度を示す画像データが入力され、その画像データに応じた値の電流が、金属陰極Ｒ０と透明陽極Ｃ０，Ｃ１，Ｃ２・・・Ｃ３８９９との間に、つまり画素部ＰＲ１，ＰＲ３，ＰＲ５・・・ＰＲ７７９９に供給される。それにより、画素部ＰＲ１，ＰＲ３，ＰＲ５・・・ＰＲ７７９９から上記画像データに対応した強度の赤色光が発せられ、カラー感光材料３上において第２主走査ラインを構成する第１、３、５・・・７７９９番目の画素が赤色光で露光される。
【００５０】
以下は同様の操作が繰り返されて第２番目のカラー主走査ラインが露光され、さらにそのようなカラー主走査ラインが次々と多数露光されて、カラー感光材料３上に多数の主走査ラインからなる２次元カラー画像が露光される。なお本実施形態では、上述した通り、各色露光光が画像データに対応して強度変調されており、それによりカラーの階調画像が露光される。
【００５１】
なお、赤色光、緑色光および青色光によって露光される各主走査ラインは、上述したように互いに重ねて露光する他、互いに副走査方向にずれた状態に露光してもよい。また、１つの主走査ラインを構成する主走査方向奇数番目の画素と、偶数番目の画素は、上述したように互いに一直線状に並べて露光する他、互いに少し副走査方向にずれた状態に露光しても構わない。
【００５２】
以上詳しく説明した通り、本実施形態においては、主走査方向に７８００個の画素を露光するものでありながら、この方向に並ぶ透明陽極21はその半数の３９００本となっており、それにより陽極ドライバ８は、２４４チャンネルのものを１６個設けるだけで済んでいる。つまり本実施形態におけるドライバの総数は、それに６チャンネルの陰極ドライバ７を加えて１７個となっている。
【００５３】
それに対して、従来からなされているように、主走査方向の画素数と同数だけ透明陽極21を設けるのであれば、その場合は２４４チャンネルの陽極ドライバが３２個、３チャンネルの陰極ドライバが１個の、総計３３個のドライバが必要となる。
【００５４】
次に、図６を参照して本発明の第２の実施の形態について説明する。この図６は、本発明の第２の実施形態による表示装置の電極部分を示すものである。なおこの図６において、図５中の要素と同等の要素には同番号を付し、それらについての説明は特に必要のない限り省略する（以下、同様）。
【００５５】
この第２の実施形態においては、透明陽極Ｃ０，Ｃ１，Ｃ２・・・Ｃ３８９９が直線状のものとされている。そして、ハッチングを付して示す画素部ＰＲ１，ＰＲ３，ＰＲ５・・・等は、透明陽極Ｃ０，Ｃ１，Ｃ２・・・Ｃ３８９９と金属陰極Ｒ０，Ｒ１，Ｒ２，Ｒ３，Ｒ４，Ｒ５との交差部分の一部のみに形成されている。発光する画素部をそのように形成するには、発光層を含む有機化合物層22（図１参照）と重ねて、該有機化合物層22の画素部とする部分のみを露出させる開口を有するマスク層を設けておけばよい。
【００５６】
次に、図７を参照して本発明の第３の実施の形態について説明する。図７は、本発明の第３の実施形態による表示装置の電極部分を示すものである。この第３の実施形態においては、透明陽極Ｃ０，Ｃ１，Ｃ２・・・が直線状のものとされる一方、１２本の金属陰極Ｒ０，Ｒ１，Ｒ２・・・Ｒ１１が図示の通りの複雑な形状とされることにより、１本の透明陽極当たり４個の画素部が陽極並び方向に並べて形成されている。またこれら４個の画素部ＰＲ１，ＰＲ３，ＰＲ５・・・等は、陽極並び方向に一直線状に並ぶ状態に形成されている。
【００５７】
本実施形態でも、ハッチングを付して示す画素部ＰＲ１，ＰＲ３，ＰＲ５・・・等は、透明陽極Ｃ０，Ｃ１，Ｃ２・・・と金属陰極Ｒ０，Ｒ１，Ｒ２・・・Ｒ１１との交差部分の一部のみに形成されている。そのようにするためには、ここでも、上述した通りのマスク層を設けておけばよい。
【００５８】
以上、画素部が、発光する有機ＥＬ発光素子20として形成された実施形態について説明したが、本発明は、有機ＥＬ発光素子以外の発光素子から画素部が構成されてなる表示装置や、さらには、発光素子ではなく光シャッタから画素部が構成されてなる表示装置に適用することも可能である。
【００５９】
また、上述した実施形態では、画素部に印加する電流値を画像データに基づいて変調して階調画像を露光するようにしているが、階調画像を露光するためには、電圧値変調やあるいはパルス幅変調などのその他の変調方式を採用することも可能である。
【００６０】
さらに、上に説明した第１実施形態および第２実施形態の表示装置は、前述したＮの数を２とするもので、第３実施形態の表示装置はこのＮの数を４とするものであるが、本発明においては、このＮの数を３や、あるいは５以上に設定しても構わない。
【００６１】
また本発明による表示装置は、前述したような露光装置を構成する以外に、例えばディスプレイ装置として構成することも可能である。
【図面の簡単な説明】
【００６２】
【図１】本発明の第１実施形態による表示装置を備えた露光装置の側面図
【図２】上記表示装置の要部の平面図
【図３】上記表示装置の電気回路を示す回路図
【図４】図３の回路の一部を詳しく示す回路図
【図５】上記表示装置の電極部分を示す平面図
【図６】本発明の第２実施形態による表示装置の電極部分を示す平面図
【図７】本発明の第３実施形態による表示装置の電極部分を示す平面図
【符号の説明】
【００６３】
１    露光ヘッド
２    露光光
３    カラー感光材料
７    陰極ドライバ
８    陽極ドライバ
20    有機ＥＬ発光素子
51    副走査手段
Ｃ０，Ｃ１，Ｃ２・・・    透明陽極（画素電極）
Ｒ０，Ｒ１，Ｒ２・・・    金属陰極（走査電極）
ＰＲ１，ＰＲ２，ＰＲ３・・・    赤色に発光する画素部
ＰＧ１，ＰＧ２，ＰＧ３・・・    緑色に発光する画素部
ＰＢ１，ＰＢ２，ＰＢ３・・・    青色に発光する画素部
【図１】
2005300582.tif 000003
【図２】
2005300582.tif 000004
【図３】
2005300582.tif 000005
【図４】
2005300582.tif 000006
【図５】
2005300582.tif 000007
【図６】
2005300582.tif 000008
【図７】
2005300582.tif 000009